(57)【要約】【解決手段】左右両側から引き出されたテープ８０を互いに繋いで物品搬送経路２上を横切る横断テープに対し先行の物品の前側面を当接させる。次に、先行の物品の前側面を横断テープに当接させたまま先行の物品を送ってテープ８０を左右両側から引き出すことにより、テープ８０を先行の物品の左右両側面にも当接させる。次に、先行の物品の後側面に沿って物品搬送経路２上のテープ８０を左右両側から押し込んで先行の物品の後側面にも当接させるとともに、左右両側から引き出されたテープ８０を互いに繋いで先行の物品の後側面から連続させた連繋部を介して物品搬送経路２上を横切る横断テープを配置する。次に、連繋部を切断するとともに、横断テープに対し後続の物品の前側面を先行の物品の前側面として当接させる。【効果】各種目的で物品の外周にテープ８０を巻く際にそのテープ８０の巻着を円滑に行うことができる。【選択図】図２
2008044628.tif 000002
【特許請求の範囲】
【請求項１】
物品搬送経路を挟む左右両側から引き出されたテープを互いに繋いでその物品搬送経路上を横切るように配置し、この物品搬送経路上を横切る横断テープに対し物品搬送向き側で面する先行の物品の前側面を当接させる第一工程と、
この物品搬送経路上で先行の物品の前側面を前記横断テープに当接させたままその先行の物品を物品搬送向きへ送ってテープを左右両側から引き出すことにより、この物品搬送経路上のテープを先行の物品の左右両側面にも当接させる第二工程と、
この物品搬送向きに対する反対向き側になる先行の物品の後側面に沿って物品搬送経路上のテープを左右両側から押し込んでこの先行の物品の後側面にも当接させるとともに、左右両側から引き出されたテープを互いに繋いで先行の物品の後側面から連続させた連繋部を介して物品搬送経路上を横切る横断テープを配置する第三工程と、
前記連繋部を切断するとともに、前記横断テープに対し後続の物品の前側面を先行の物品の前側面として当接させる第四工程と
を経て物品の外周側面にテープを巻く
ことを特徴とする物品に対するテープ巻着方法。
【請求項２】
前記第四工程において、連繋部を切断する際に、先行の物品の後側面に当接するテープと後続の物品の前側面に当接するテープとのうち少なくともいずれかのテープに切込みを付すことを特徴とする請求項１に記載の物品に対するテープ巻着方法。
【請求項３】
前記第四工程において、先行の物品の後側面に面する連繋部の基端部とその後側面との間と、後続の物品の前側面に面する連繋部の基端部とその前側面との間とのうち、少なくともいずれかに隙間を設けることを特徴とする請求項１または請求項２に記載の物品に対するテープ巻着方法。
【請求項４】
物品を物品搬送経路に沿って搬送することができる物品搬送装置と、
その物品搬送経路を挟む左右両側に配設されたテープ巻取ロール支持体から引き出されたテープを互いに繋いでその物品搬送経路を横切るように配置することができるとともに、この物品搬送経路上を横切る横断テープに対し物品搬送向き側で面する先行の物品の前側面を当接させたままその先行の物品を前記物品搬送装置により物品搬送向きへ送って左右両側のテープ巻取ロール支持体からテープを引き出してこの物品搬送経路上のテープを先行の物品の左右両側面にも当接させることができるテープ供給装置と、
この物品搬送経路を挟む左右両側に配設された押圧体を有し、この物品搬送向きに対する反対向き側になる先行の物品の後側面に沿って物品搬送経路上のテープを左右両側の押圧体により押し込んでこの先行の物品の後側面にも当接させるとともに左右両側から引き出されたテープを左右両側の押圧体により挟持することにより互いに繋いで先行の物品の後側面から連続させた連繋部を介して物品搬送経路上を横切る横断テープを配置する押込位置と、左右両側の押圧体がその連繋部に対し離間するようにその押込位置から退避する退避位置との間でこの押圧体を往復移動させることができるテープ押込装置と、
前記連繋部を切断するカッターを有するテープ切断装置と
を備えたことを特徴とする物品に対するテープ巻着機。
【請求項５】
前記テープ押込装置において左右両側の押圧体は、それぞれ、前側押圧部と後側押圧部とを有し、左右両側の前側押圧部は、退避位置から押込位置へ移動する際に物品搬送経路上のテープを押し込む押込面と、退避位置から押込位置へ移動する際に物品搬送経路上のテープを先行の物品の後側面に当接させる案内面とを有し、左右両側の後側押圧部は、退避位置から押込位置へ移動する際に物品搬送経路上のテープを押し込む押込面と、押込位置から退避位置へ移動する際に物品搬送経路上のテープを後続の物品の前側面に当接させる案内面とを有することを特徴とする請求項４に記載の物品に対するテープ巻着機。
【請求項６】
前記前側押圧部と後側押圧部とのうち少なくともいずれかにおいて押込面と案内面との間の隅部には面取り部を設けたことを特徴とする請求項５に記載の物品に対するテープ巻着機。
【請求項７】
前記テープ切断装置は、前記押圧体の押込位置で連繋部を保持する挟持体と、その挟持体により連繋部を保持した状態で連繋部を切断するカッターと、そのカッターにより連繋部を切断する際に先行の物品の後側面に当接するテープと後続の物品の前側面に当接するテープとのうち少なくともいずれかのテープに切込みを付す切込刃とを有していることを特徴とする請求項４または請求項５または請求項６に記載の物品に対するテープ巻着機。
【発明の詳細な説明】
【技術分野】
【０００１】
本発明は、例えば容器本体上に蓋体を被せた容器などの物品に対しテープを巻着する方法及び装置に関するものである。
【背景技術】
【０００２】
一般に、この種の容器は、従来周知のストレッチフィルム包装機により、ストレッチフィルムで包み込むように包装されている。
【発明の開示】
【発明が解決しようとする課題】
【０００３】
しかし、容器本体以外に蓋体があるにもかかわらず容器全体をストレッチフィルムにより包み込むと、蓋体とストレッチフィルムとによる二重包装になるため、ストレッチフィルム資源が無駄になっていた。このような容器では、容器本体上に蓋体を被せた際に蓋体が容器本体から不用意に開かないようにするとともに容器本体と蓋体との間に隙間が生じないようにすれば十分であるため、互いに重ねられる容器本体の周縁部と蓋体の周縁部との間の境界部を覆うように容器本体及び蓋体の外周側面にテープを巻着する容器構造が提案された。このような容器以外の物品であっても、宣伝用印字テープなどの各種目的で、物品の外周にテープを巻くことは多々ある。
【０００４】
この発明は、このような各種目的で物品の外周にテープを巻く際にそのテープの巻着を円滑に行うことができるテープ巻着方法及びテープ巻着機を提供することを目的としている。
【課題を解決するための手段】
【０００５】
後記実施形態の図面（図１〜１０）の符号を援用して本発明を説明する。
請求項１の発明において物品に対するテープ巻着方法は、下記の第一工程と第二工程と第三工程と第四工程とを経て物品９０，９１の外周側面（前側面９２と左右両側面９４と後側面９３）にテープ８０を巻くことができる。通常はテープ８０に粘着面８１が設けられ、そのテープ８０の粘着面８１側が物品９０，９１の外周側面９２，９３，９４に貼り付けられる。
【０００６】
第一工程；物品搬送経路２を挟む左右両側から引き出されたテープ８０を互いに繋いでその物品搬送経路２上を横切るように配置し、この物品搬送経路２上を横切る横断テープ８０ａに対し物品搬送向きＸＦ側で面する先行の物品９０の前側面９２を当接させる。
【０００７】
第二工程；この物品搬送経路２上で先行の物品９０の前側面９２を前記横断テープ８０ａに当接させたままその先行の物品９０を物品搬送向きＸＦへ送ってテープ８０を左右両側から引き出すことにより、この物品搬送経路２上のテープ８０を先行の物品９０の左右両側面９４にも当接させる。
【０００８】
第三工程；この物品搬送向きＸＦに対する反対向きＸＲ側になる先行の物品９０の後側面９３に沿って物品搬送経路２上のテープ８０を左右両側から押し込んでこの先行の物品９０の後側面９３にも当接させるとともに、左右両側から引き出されたテープ８０を互いに繋いで先行の物品９０の後側面９３から連続させた連繋部８２を介して物品搬送経路２上を横切る横断テープ８０ａを配置する。通常はテープ８０に粘着面８１が設けられ、そのテープ８０の粘着面８１側が互いに貼り付けられて連繋部８２となる。
【０００９】
第四工程；前記連繋部８２を切断するとともに、前記横断テープ８０ａに対し後続の物品９１の前側面９２を先行の物品９０の前側面９２として当接させる。
請求項１の発明では、物品９０の外周にテープ８０を円滑に巻くことができるとともに、先行の物品９０にテープ８０を巻いた後に引き続いて後続の物品９１にテープ８０を巻く動作を連続的に行うことができる。
【００１０】
請求項１の発明を前提とする請求項２の発明にかかる第四工程においては、連繋部８２を切断する際に、先行の物品９０の後側面９３に当接するテープ８０と後続の物品９１の前側面９２に当接するテープ８０とのうち少なくともいずれかのテープ８０に切込み８３を付す。請求項２の発明では、その切込み８３に指を引っ掛けることにより、物品９０に巻いたテープ８０を物品９０から取り外し易い。
【００１１】
請求項１または請求項２の発明を前提とする請求項３の発明にかかる第四工程においては、先行の物品９０の後側面９３に面する連繋部８２の基端部とその後側面９３との間と、後続の物品９１の前側面９２に面する連繋部８２の基端部とその前側面９２との間とのうち、少なくともいずれかに隙間Ｇを設ける。請求項３の発明では、その隙間Ｇに指を引っ掛けることにより、物品９０に巻いたテープ８０を物品９０から取り外し易い。
【００１２】
請求項４の発明において物品に対するテープ巻着機は、下記の物品搬送装置１とテープ供給装置３４とテープ押込装置４１とテープ切断装置５７とを備えている。前記物品搬送装置１は、物品９０，９１を物品搬送経路２に沿って搬送することができる。前記テープ供給装置３４は、その物品搬送経路２を挟む左右両側に配設されたテープ巻取ロール支持体３５から引き出されたテープ８０を互いに繋いでその物品搬送経路２を横切るように配置することができるとともに、この物品搬送経路２上を横切る横断テープ８０ａに対し物品搬送向きＸＦ側で面する先行の物品９０の前側面９２を当接させたままその先行の物品９０を前記物品搬送装置１により物品搬送向きＸＦへ送って左右両側のテープ巻取ロール支持体３５からテープ８０を引き出してこの物品搬送経路２上のテープ８０を先行の物品９０の左右両側面９４にも当接させることができる。前記テープ押込装置４１は、この物品搬送経路２を挟む左右両側に配設された押圧体４８を有し、この物品搬送向きＸＦに対する反対向きＸＲ側になる先行の物品９０の後側面９３に沿って物品搬送経路２上のテープ８０を左右両側の押圧体４８により押し込んでこの先行の物品９０の後側面９３にも当接させるとともに左右両側から引き出されたテープ８０を左右両側の押圧体４８により挟持することにより互いに繋いで先行の物品９０の後側面９３から連続させた連繋部８２を介して物品搬送経路２上を横切る横断テープ８０ａを配置する押込位置Ｐと、左右両側の押圧体４８がその連繋部８２に対し離間するようにその押込位置Ｐから退避する退避位置Ｑとの間でこの押圧体４８を往復移動させることができる。前記テープ切断装置５７は、前記連繋部８２を切断するカッター７０を有する。
【００１３】
請求項４の発明では、物品９０の外周にテープ８０を円滑に巻くことができる。
請求項４の発明を前提とする請求項５の発明にかかるテープ押込装置４１において、左右両側の押圧体４８は、それぞれ、前側押圧部４９と後側押圧部５０とを有している。左右両側の前側押圧部４９は、退避位置Ｑから押込位置Ｐへ移動する際に物品搬送経路２上のテープ８０を押し込む押込面５１と、退避位置Ｑから押込位置Ｐへ移動する際に物品搬送経路２上のテープ８０を先行の物品９０の後側面９３に当接させる案内面５２とを有している。左右両側の後側押圧部５０は、退避位置Ｑから押込位置Ｐへ移動する際に物品搬送経路２上のテープ８０を押し込む押込面５３と、押込位置Ｐから退避位置Ｑへ移動する際に物品搬送経路２上のテープ８０を後続の物品９１の前側面９２に当接させる案内面５４とを有している。請求項５の発明では、前側押圧部４９の案内面５２によりテープ８０を先行の物品９０の後側面９３に対し円滑に当接させることができるとともに、後側押圧部５０の案内面５４によりテープ８０を後続の物品９１の前側面９２に対し円滑に当接させることができる。また、左右両側から引き出されたテープ８０を前側押圧部４９の押込面５１及び後側押圧部５０の押込面５３で挟持して連繋部８２により円滑に繋ぐことができる。
【００１４】
請求項５の発明を前提とする請求項６の発明にかかる前側押圧部４９と後側押圧部５０とのうち少なくともいずれかにおいて押込面５１，５３と案内面５２，５４との間の隅部５５には面取り部５５ａを設けている。請求項６の発明では、左右両側から引き出されたテープ８０を前側押圧部４９の押込面５１及び後側押圧部５０の押込面５３で挟持した際、その面取り部５５ａにより、先行の物品９０の後側面９３に面する連繋部８２の基端部とその後側面９３との間と、後続の物品９１の前側面９２に面する連繋部８２の基端部とその前側面９２との間とのうち、少なくともいずれかに隙間Ｇを設けることができる。従って、その隙間Ｇに指を引っ掛けることにより、物品９０に巻いたテープ８０を物品９０から取り外し易い。
【００１５】
請求項４または請求項５または請求項６の発明を前提とする請求項７の発明にかかるテープ切断装置５７においては、前記押圧体４８の押込位置Ｐで連繋部８２を保持する挟持体６９と、その挟持体６９により連繋部８２を保持した状態で連繋部８２を切断するカッター７０と、そのカッター７０により連繋部８２を切断する際に先行の物品９０の後側面９３に当接するテープ８０と後続の物品９１の前側面９２に当接するテープ８０とのうち少なくともいずれかのテープ８０に切込み８３を付す切込刃７２とを有している。請求項７の発明では、連繋部８２を円滑に切断することができるとともに、先行の物品９０の後側面９３に当接するテープ８０と後続の物品９１の前側面９２に当接するテープ８０とのうち少なくともいずれかのテープ８０に対し切込み８３を連繋部８２の切断時に容易に付すことができる。従って、その切込み８３に指を引っ掛けることにより、物品９０に巻いたテープ８０を物品９０から取り外し易い。
【００１６】
次に、請求項以外の技術的思想について実施形態の図面の符号を援用して説明する。
請求項１または請求項２または請求項３の発明を前提とする第８の発明において、前記物品９０は容器本体９５とその容器本体９５上に被せられる蓋体９６とを備えた容器であって、前記テープ８０は容器本体９５上に蓋体９６を被せた際に互いに重ねられる容器本体９５の周縁部９７と蓋体９６の周縁部９７との間の境界部９８を覆うように容器本体９５及び蓋体９６の外周側面９２，９３，９４に巻かれて貼着される。第８の発明では、このような容器の全体をストレッチフィルムにより包み込む場合と比較して資源を節約することができる。
【００１７】
請求項７の発明を前提とする第９の発明にかかるテープ切断装置５７において、挟持体６９とカッター７０と切込刃７２とは物品９０に対する位置を調節し得るように移動可能に支持されている。第９の発明では、物品９０に対するテープ巻着位置に応じて挟持体６９とカッター７０と切込刃７２の位置を調節することができ、円滑に連繋部８２を切断することができるとともに切込み８３を付すことができる。
【００１８】
請求項４から請求項７のうちいずれかの請求項の発明、または第９の発明を前提とする第１０の発明にかかるテープ供給装置３４においては、前記テープ巻取ロール支持体３５のほかに、物品搬送経路２を横切るように配置された横断テープ８０ａの左右両側が巻き掛けられる左右両側の位置決めローラ３６と、このテープ巻取ロール支持体３５と位置決めローラ３６との間でテープ８０を迂回させて支持する迂回ローラ群３７とを有している。この迂回ローラ群３７においては、テープ巻取ロール支持体３５と位置決めローラ３６との間で巻き掛けられた迂回テープ８０にテンションを付与するテンションローラ３８ａをそのテンションの向きに沿って移動可能に支持し、このテンションローラ３８ａがテンションに抗して移動した際にその移動を検知して強制回転されるテープ送りローラ３８ｂを有している。第１０の発明では、左右両側のテープ巻取ロール支持体３５から引き出されたテープ８０にテンションを与えながら、そのテープ８０を先行の物品９０から後続の物品９１へ順次連続的に引き出すことができる。
【００１９】
請求項４から請求項７のうちいずれかの請求項の発明、または第９の発明または第１０の発明を前提とする第１１の発明にかかる物品搬送装置１においては、物品９０，９１の前側面９２に当接するストッパ２８を設けた第一の巻掛け伝動機構１６と、物品９０，９１の前側面９２に当接するストッパ２９を設けた第二の巻掛け伝動機構１７とを有し、この第一の巻掛け伝動機構１６と第二の巻掛け伝動機構１７とは互いに独立して回転可能であって、この第一の巻掛け伝動機構１６のストッパ２８とこの第二の巻掛け伝動機構１７のストッパ２９との間の間隔Ｌを変更し得る。第１１の発明では、物品９０，９１における前側面９２と後側面９３との間の寸法に合わせてこの間隔Ｌを変更することができる。
【００２０】
第１１の発明を前提とする第１２の発明にかかる物品搬送装置１において、第一の巻掛け伝動機構１６のストッパ２８と第二の巻掛け伝動機構１７のストッパ２９とは、それぞれ、物品９０，９１の前側面９２に当接する位置決め爪３０と、この位置決め爪３０よりも物品搬送向きＸＦ側に配置した挟持爪３１とを有し、先行の物品９０の前側面９２が第一の巻掛け伝動機構１６のストッパ２８の位置決め爪３０に当接するとともに後続の物品９１の前側面９２が第二の巻掛け伝動機構１７のストッパ２９の位置決め爪３０に当接した状態で、第二の巻掛け伝動機構１７のストッパ２９の挟持爪３１が先行の物品９０の後側面９３に当接する。第１２の発明では、第一の巻掛け伝動機構１６のストッパ２８の位置決め爪３０と第二の巻掛け伝動機構１７のストッパ２９の挟持爪３１との間の間隔Ｌを物品９０，９１における前側面９２と後側面９３との間の寸法に合わせて変更することができる。また、物品９０，９１をこの位置決め爪３０と挟持爪３１との間で挟持して安定性良く搬送することができる。
【発明の効果】
【００２１】
本発明は、各種目的で物品９０の外周にテープ８０を巻く際にそのテープ８０の巻着を円滑に行うことができるテープ巻着方法及びテープ巻着機を提供することができる。
【発明を実施するための最良の形態】
【００２２】
以下、本発明の一実施形態について図面を参照して説明する。
図１〜３に示すテープ巻着機において物品搬送装置１は、巻掛け伝動装置であって、前後方向Ｘに延びる物品搬送経路２に沿って物品搬入側から物品搬出側へ順次並べた物品供給部３と物品搬入部４と物品案内部５と物品搬出部６とを備えている。この物品供給部３は、電動モータ７により回転する平ベルト８を備えている。この物品搬入部４は、電動モータ９により回転する丸ベルト１０を備えている。この物品搬入部４の丸ベルト１０の入口端部側は物品供給部３の平ベルト８の出口端部側に対し近接して並んでいる。この物品搬出部６は、電動モータ１１により回転する丸ベルト１２を備えている。この物品供給部３の平ベルト８の物品搬送面Ｈと物品搬入部４の丸ベルト１０の物品搬送面Ｈと物品搬出部６の丸ベルト１２の物品搬送面Ｈとは互いに同一平面上にある。この物品搬入部４の丸ベルト１０の入口端部側付近には電動モータ１３によりリンク１４を介して上下動する当接板１５が支持されている。この当接板１５は、物品搬入部４の丸ベルト１０の物品搬送面Ｈよりも上方へ突出する上動位置と、その物品搬送面Ｈよりも下方へ没入する下動位置とを取り得る。この物品搬入部４の丸ベルト１０の物品搬送速度は物品供給部３の平ベルト８の物品搬送速度よりも大きくなっている。
【００２３】
前記物品搬送装置１において、物品案内部５は、物品搬入部４と物品搬出部６との間に配設され、前後方向Ｘへ延びる物品搬送経路２に対し直交する左右方向Ｙで互いに並ぶ第一の巻掛け伝動機構１６と第二の巻掛け伝動機構１７とを備えている。第一の巻掛け伝動機構１６においては、第一電動モータ１８により回転する第一駆動軸１９に対し一体回転する外側の左右両鎖車２０と、第二電動モータ２１により回転する第二駆動軸２２に対し相対回転可能に支持された外側の左右両鎖車２３との間に外側の左右両チェーン２４が掛け渡されている。第二の巻掛け伝動機構１７においては、第一の巻掛け伝動機構１６の左右両チェーン２４の内側で、前記第一駆動軸１９に対し相対回転可能に支持された内側の左右両鎖車２５と、前記第二駆動軸２２に対し一体回転する内側の左右両鎖車２６との間に内側の左右両チェーン２７が掛け渡されている。第一の巻掛け伝動機構１６における外側の左右両チェーン２４には左右方向Ｙで互いに並ぶ一組のストッパ２８が二組回転方向へ等間隔で配置されて取着されている。第二の巻掛け伝動機構１７における内側の左右両チェーン２７には左右方向Ｙで互いに並ぶ一組のストッパ２９が二組回転方向へ等間隔で配置されて取着されている。第一の巻掛け伝動機構１６における二組のストッパ２８間の略中間位置に第二の巻掛け伝動機構１７における二組のストッパ２９が配置されるようにそれらのストッパ２８，２９を回転方向で互いにずらしてある。第一の巻掛け伝動機構１６における外側の左右両チェーン２４と第二の巻掛け伝動機構１７における内側の左右両チェーン２７とは互いに独立して回転可能であって、第一の巻掛け伝動機構１６における二組のストッパ２８と第二の巻掛け伝動機構１７における二組のストッパ２９との間の間隔Ｌを変更することができる。これらのストッパ２８，２９は、位置決め爪３０と、その位置決め爪３０よりも物品搬送向きＸＦ側に一定間隔で配置された挟持爪３１とを有している。前記物品搬入部４の丸ベルト１０の出口端部側はこの物品案内部５の各チェーン２４，２７の入口端部側に入り込んでいる。前記物品搬出部６の丸ベルト１２の入口端部側はこの物品案内部５の各チェーン２４，２７の出口端部側に入り込んでいる。各チェーン２４，２７の上方に配設された物品案内板３２は、前記物品供給部３の物品搬送面Ｈや物品搬入部４の物品搬送面Ｈや物品搬出部６の物品搬送面Ｈと同一平面上にある物品搬送面Ｈを有している。前記各ストッパ２８，２９の位置決め爪３０及び挟持爪３１は、物品搬送経路２で、この物品案内板３２の物品搬送面Ｈに対し入口部側から入り、レール３３により支えられながらその物品搬送面Ｈに沿って物品搬送向きＸＦへ移動した後に出口部側でその物品搬送面Ｈから退避する。
【００２４】
図１〜３に示すテープ巻着機においてテープ供給装置３４は、前記物品搬送経路２を挟む左右両側に配設されたテープ巻取ロール支持体３５と、位置決めローラ３６と、このテープ巻取ロール支持体３５と位置決めローラ３６との間で配置された各迂回ローラ３８を有する迂回ローラ群３７とを備えている。この迂回ローラ群３７においては、テンションローラ３８ａを支持した可動台３９がテンションばねにより付勢された状態で移動可能に支持され、テープ巻取ロール支持体３５から引き出されたテープ８０がテープ送りローラ３８ｂやテンションローラ３８ａを含む迂回ローラ３８に巻き掛けられて迂回された状態で位置決めローラ３６に巻き掛けられる。このテンションローラ３８ａにテンションが付与されて可動台３９がテンションばねの弾性力に抗して移動すると、可動台３９が近接スイッチ４０から離れるため、その移動を検知してテープ送りローラ３８ｂが強制回転される。
【００２５】
図１〜３に示すテープ巻着機のテープ押込装置４１においては、前記物品搬送装置１の物品案内部５の上方で前記物品搬送経路２を挟む左右両側間に架設された巻掛け伝動装置４２が電動モータ４３により回転するタイミングベルト４４を備え、このタイミングベルト４４に左右両可動体４５がレール４６に沿って左右方向Ｙへ移動可能に支持されている。この左右両可動体４５においては、クッションばねにより付勢された支持体４７の下側に押圧体４８が取着されている。図８（ｃ）に示すように、この左右両押圧体４８は、それぞれ、前側押圧部４９と後側押圧部５０とを有している。左右両側の前側押圧部４９は、前後方向Ｘに沿う押込面５１と、左右方向Ｙに沿う案内面５２とを有している。左右両側の後側押圧部５０は、前後方向Ｘに沿う押込面５３と、左右方向Ｙに沿う案内面５４とを有している。この前側押圧部４９及び後側押圧部５０において押込面５１，５３と案内面５２，５４との間の隅部５５には面取り部５５ａが設けられている。電動モータ４３によりタイミングベルト４４が回転すると、左右両可動体４５が左右方向Ｙへ移動し、この左右両可動体４５の押圧体４８が互いに接近する押込位置Ｐと互いに離間する退避位置Ｑとを取る。
【００２６】
図１〜３に示すテープ巻着機のテープ切断装置５７においては、前後両雄ねじ部５８に螺合された前後両雌ねじ部５９間に支持枠６０が架設され、この支持枠６０で昇降枠６１が電動モータ６２により移動するリンク６３を介して上下動可能に支持されているとともに、この昇降枠６１で左右両腕６４が電動モータ６５により回転するカム６６を介して左右方向Ｙへ移動可能に支持されて互いに接近離間する。この左右両腕６４は、昇降枠６１から上方へ延び、その上端部側に切断機構６７を有している。この切断機構６７において左右両腕６４が互いに離間した状態では、図４，５に示すように、左右方向Ｙへ互いに接近離間する左右両開閉板６８間で挟持体としての左右両挟持板６９がその左右両開閉板６８に対し左右方向Ｙへ移動可能に支持され、ばねの弾性力によりこの左右両開閉板６８と左右両挟持板６９とが互いに離間するとともに、左右両挟持板６９も互いに離間する。また、一方の開閉板６８に取着されたカッター７０はその開閉板６８に隣接する挟持板６９に形成された孔７１に挿入され、左右両挟持板６９に回動可能に支持された切込刃７２はばねの弾性力により左右両挟持板６９内に退避している。この切断機構６７において左右両腕６４が互いに接近すると、まず左右両挟持板６９が互いに当接した後、その左右両挟持板６９に左右両開閉板６８がばねの弾性力に抗して当接し、カッター７０は反対側の挟持板６９に形成された孔７１に挿入されるとともに、切込刃７２は左右両開閉板６８に取着されたピン７３に当接してばねの弾性力に抗して左右両挟持板６９から突出する。前記前後両雄ねじ部５８が電動モータ７４により回転すると、前記前後両雌ねじ部５９が前記支持枠６０や昇降枠６１や左右両腕６４や電動モータ６２，６５などとともに上下動し、この左右両腕６４にある切断機構６７の上下動位置を調節することができる。
【００２７】
次に、このテープ巻着機によるテープ巻着方法を詳述する。
図６（ａ）（ｂ）に示す稼働初期状態では、物品搬送装置１の物品供給部３及び物品搬入部４で物品搬送面Ｈ上に先行の物品９０と後続の物品９１とが載置されて物品搬送経路２に沿って並べられ、物品搬送向きＸＦ側である先行の物品９０の前側面９２が当接板１５に当接して先行の物品９０及び後続の物品９１が停止している。ちなみに、これらの物品９０，９１は、図１に示すように、容器本体９５とその容器本体９５上に被せられる蓋体９６とを備えた容器であって、容器本体９５の外周で上端周縁部に形成されたフランジ９７と、蓋体９６の外周で下端周縁部に形成されたフランジ９７との間で境界部９８を有している。この物品搬送装置１の物品案内部５において、第一の巻掛け伝動機構１６のストッパ２８が物品搬送面Ｈの中央位置で停止しているとともに、第二の巻掛け伝動機構１７のストッパ２９が物品搬送面Ｈの前側位置で停止している。テープ供給装置３４において、左右両位置決めローラ３６に巻き掛けられた左右両テープ８０は、物品搬送向きＸＦに対する反対向きＸＲ側で粘着面８１を有し、前記物品案内部５の物品搬送面Ｈの上方でその粘着面８１を互いに貼り付けて繋いだ状態で物品搬送経路２を横切る横断テープ８０ａとして配置されている。テープ押込装置４１において、左右両押圧体４８は互いに離間して前記物品案内部５の物品搬送面Ｈから退避した退避位置Ｑにある。テープ切断装置５７において、切断機構６７は前記物品案内部５の物品搬送面Ｈから退避した下動位置にある。
【００２８】
図６（ｃ）（ｄ）に示す第一工程では、前記物品供給部３の物品搬送面Ｈ上にある先行の物品９０が当接板１５の上下動により前記物品案内部５の物品搬送面Ｈ上へ前進して後続の物品９１から離され、その後続の物品９１が前進して当接板１５に当接して停止する。この先行の物品９０はその前側面９２で第一の巻掛け伝動機構１６のストッパ２８の位置決め爪３０に当接するとともに物品搬送経路２上を横切る横断テープ８０ａの粘着面８１に当接して停止する。その後、第二の巻掛け伝動機構１７のストッパ２９のみが回転して物品搬送面Ｈの後側位置で停止し、そのストッパ２９の挟持爪３１が先行の物品９０の後側面９３に当接して前記ストッパ２９の位置決め爪３０との間でその先行の物品９０を挟持する。
【００２９】
図７（ａ）（ｂ）に示す第二工程では、先行の物品９０を挟持する第一の巻掛け伝動機構１６のストッパ２８と第二の巻掛け伝動機構１７のストッパ２９とが共に回転し、第一の巻掛け伝動機構１６のストッパ２８が物品搬送面Ｈの前側位置で停止するとともに、第二の巻掛け伝動機構１７のストッパ２９が物品搬送面Ｈの中央位置で停止する。その際、先行の物品９０はその前側面９２で前記横断テープ８０ａの粘着面８１に当接したまま前進し、テープ供給装置３４で左右両テープ巻取ロール支持体３５から引き出されて左右両位置決めローラ３６に巻き掛けられた左右両テープ８０が左右両押圧体４８にも巻き掛けられ、その左右両テープ８０の粘着面８１が先行の物品９０の前側面９２ばかりでなく先行の物品９０の左右両側面９４にも当接して貼着される。
【００３０】
図７（ｃ）（ｄ）に示す第三工程では、第二の巻掛け伝動機構１７のストッパ２９において位置決め爪３０と挟持爪３１との間にテープ押込装置４１の左右両押圧体４８が先行の物品９０の後側面９３に沿って移動して互いに接近する押込位置Ｐとなり、物品搬送経路２上の左右両側のテープ８０が左右両押圧体４８の前側押圧部４９及び後側押圧部５０の押込面５１，５３により押し込まれる。その際、この前側押圧部４９の案内面５２は物品搬送経路２上のテープ８０の粘着面８１を先行の物品９０の後側面９３にも当接させて貼着する。また、左右両押圧体４８の前側押圧部４９及び後側押圧部５０の押込面５１，５３が左右両側のテープ８０を挟持してそれらの押込面５１，５３間の左右両テープ８０の粘着面８１が互いに貼着され、その左右両テープ８０が互いに繋がれて先行の物品９０の後側面９３から連続する連繋部８２となり、その連繋部８２を介して物品搬送経路２上を横切る横断テープ８０ａが配置される。
【００３１】
図８（ａ）（ｂ）に示す第四工程では、前記物品供給部３の物品搬送面Ｈ上にある後続の物品９１が当接板１５の上下動により前記物品案内部５の物品搬送面Ｈ上へ前進し、その前側面９２で第二の巻掛け伝動機構１７のストッパ２９の位置決め爪３０に当接するとともに物品搬送経路２上を横切る横断テープ８０ａの粘着面８１に当接して停止する。図８（ｃ）に示すように、前記前側押圧部４９において押込面５１と案内面５２との間の隅部５５に設けられた面取り部５５ａにより、先行の物品９０の後側面９３に面する連繋部８２の基端部とその後側面９３との間に隙間Ｇが生じる。また、図８（ｃ）に示すように、前記後側押圧部５０において押込面５３と案内面５４との間の隅部５５に設けられた面取り部５５ａにより、後続の物品９１の前側面９２に面する連繋部８２の基端部とその前側面９２との間に隙間Ｇが生じる。
【００３２】
図９（ａ）（ｂ）に示す第四工程では、テープ押込装置４１の左右両押圧体４８が互いに離間して退避位置Ｑとなる。その際、この後側押圧部５０の案内面５４は横断テープ８０ａの粘着面８１を後続の物品９１の前側面９２に貼着する。
【００３３】
図９（ｃ）（ｄ）及び図１０（ａ）（ｂ）に示す第四工程では、テープ切断装置５７の切断機構６７が上動位置になり、図４，５に示すように、左右両挟持板６９間に前記連繋部８２が入り込む。その連繋部８２は、左右両挟持板６９間で挟持されて保持された状態で、カッター７０により切断される。また、その切断時には先行の物品９０の後側面９３と後続の物品９１の前側面９２とに貼着されたテープ８０に対し切込刃７２により切込み８３が付される。
【００３４】
図１０（ｃ）（ｄ）に示す次の第一工程では、第一の巻掛け伝動機構１６のストッパ２８のみが回転して物品搬送面Ｈの後側位置で停止し、そのストッパ２８の挟持爪３１が後続の物品９１の後側面９３に当接して第二の巻掛け伝動機構１７のストッパ２９の位置決め爪３０との間でその後続の物品９１を挟持する。その際、テープ８０が巻かれた先行の物品９０は物品搬出部６へ搬出される。図８（ｄ）に示すように、この先行の物品９０（容器）においては、フランジ９７の外周に環状のテープ８０が巻かれて貼着され、前側面９２及び後側面９３から切断後の連繋部８２が若干突出するとともにその連繋部８２の付近でテープ８０に切込み８３が付されている。この後続の物品９１は前述した先行の物品９０として処理され、次の第一工程が開始されるまでには次に処理される物品９９が後続の物品９１として供給されて当接板１５に当接して停止する。
【００３５】
本実施形態は下記の効果を有する。
＊  このテープ巻着機を利用したテープ巻着方法によれば、各種目的で物品９０の外周にテープ８０を巻く際にそのテープ８０の巻着を円滑に行うことができる。
【００３６】
＊  先行の物品９０にテープ８０を巻いた後に引き続いて後続の物品９１にテープ８０を巻く動作を連続的に行うことができる。
＊  前記切込み８３や隙間Ｇに指を引っ掛けることにより、物品９０に巻いたテープ８０を物品９０から取り外し易い。
【００３７】
＊  容器の全体をストレッチフィルムにより包み込む場合と比較して資源を節約することができる。
＊  テープ８０にテンションを与えながら、そのテープ８０を先行の物品９０から後続の物品９１へ順次連続的に引き出すことができる。
【００３８】
＊  ストッパ２８の位置決め爪３０とストッパ２９の挟持爪３１との間の間隔Ｌを物品９０，９１の前側面９２と後側面９３との間の寸法に合わせて変更することができる。
＊  物品９０，９１を位置決め爪３０と挟持爪３１との間で挟持して安定性良く搬送することができる。
【００３９】
前記実施形態以外にも下記のように構成してもよい。
＊  前記第四工程において、横断テープ８０ａに対し後続の物品９１の前側面９２を先行の物品９０の前側面９２として当接させるタイミングを、連繋部８２を切断するタイミングよりも早く設定しているが、連繋部８２を切断するタイミングよりも遅く設定する。
【００４０】
＊  前記テープ押込装置４１の押圧体４８において、前側押圧部４９と後側押圧部５０とを互いに分離して離間させる。また、この前側押圧部４９と後側押圧部５０とをそれぞれローラに変更する。
【００４１】
＊  前記テープ押込装置４１の左右両押圧体４８において前側押圧部４９と後側押圧部５０とのうちいずれかで押込面５１，５３と案内面５２，５４との間の隅部５５に面取り部５５ａを設ける。その場合には一方にのみ前記隙間Ｇが生じる。
【００４２】
＊  前記テープ押込装置４１の左右両押圧体４８において前側押圧部４９及び後側押圧部５０で押込面５１，５３と案内面５２，５４との間の隅部５５の面取り部５５ａをなくしてそれらを互いに直角に交差させる。その場合には前記隙間Ｇが生じない。
【００４３】
＊  前記テープ切断装置５７の切断機構６７において一方の切込刃７２のみを設ける。その場合には一方にのみ前記切込み８３が生じる。
＊  前記テープ切断装置５７の切断機構６７において両切込刃７２をなくす。その場合には前記切込み８３が生じない。
【図面の簡単な説明】
【００４４】
【図１】本実施形態にかかるテープ巻着機において主に物品搬送装置とテープ切断装置とを正面側から見て概略的に示す部分断面図である。
【図２】本実施形態にかかるテープ巻着機において主に物品搬送装置とテープ供給装置とテープ押込装置とを平面側から見て概略的に示す部分断面図である。
【図３】本実施形態にかかるテープ巻着機において主にテープ押込装置とテープ切断装置とを側面側から見て概略的に示す部分断面図である。
【図４】（ａ）は上記テープ切断装置の非切断状態を側面側から見て概略的に示す部分断面図であり、（ｂ）は上記テープ切断装置の非切断状態を正面側から見て概略的に示す部分断面図である。
【図５】（ａ）は上記テープ切断装置の非切断状態を平面側から見て概略的に示す部分断面図であり、（ｂ）は同じく切断途中状態を平面側から見て概略的に示す部分断面図であり、（ｃ）は同じく切断状態を平面側から見て概略的に示す部分断面図である。
【図６】（ａ）は本実施形態にかかるテープ巻着方法において第一工程を示す作用説明図であり、（ｂ）は（ａ）における物品搬送装置の作用説明図であり、（ｃ）は同じく第一工程を示す作用説明図であり、（ｄ）は（ｃ）における物品搬送装置の作用説明図である。
【図７】（ａ）は同じく第二工程を示す作用説明図であり、（ｂ）は（ａ）における物品搬送装置の作用説明図であり、（ｃ）は同じく第三工程を示す作用説明図であり、（ｄ）は（ｃ）における物品搬送装置の作用説明図である。
【図８】（ａ）は同じく第四工程を示す作用説明図であり、（ｂ）は（ａ）における物品搬送装置の作用説明図であり、（ｃ）は（ａ）の部分拡大平面図であり、（ｄ）はテープが巻かれた物品を示す斜視図である。
【図９】（ａ）は同じく第四工程を示す作用説明図であり、（ｂ）は（ａ）における物品搬送装置の作用説明図であり、（ｃ）は同じく第四工程を示す作用説明図であり、（ｄ）は（ｃ）における物品搬送装置の作用説明図である。
【図１０】（ａ）は同じく第四工程を示す作用説明図であり、（ｂ）は（ａ）における物品搬送装置の作用説明図であり、（ｃ）は同じく次の第一工程を示す作用説明図であり、（ｄ）は（ｃ）における物品搬送装置の作用説明図である。
【符号の説明】
【００４５】
１…物品搬送装置、２…物品搬送経路、３４…テープ供給装置、３５…テ−プ巻取ロール支持体、４１…テープ押込装置、４８…押圧体、４９…前側押圧部、５０…後側押圧部、５１，５３…押込面、５２，５４…案内面、５５…隅部、５５ａ…面取り部、５７…テープ切断装置、７０…カッター、７２…切込刃、８０…テープ、８０ａ…横断テープ、８１…粘着面、８２…連繋部、８３…切込み、９０…先行の物品、９１…後続の物品、９２…前側面、９３…後側面、９４…左右両側面、Ｇ…隙間、Ｐ…押込位置、Ｑ…退避位置、ＸＦ…搬送向き。
【図１】
2008044628.tif 000003
【図２】
2008044628.tif 000004
【図３】
2008044628.tif 000005
【図４】
2008044628.tif 000006
【図５】
2008044628.tif 000007
【図６】
2008044628.tif 000008
【図７】
2008044628.tif 000009
【図８】
2008044628.tif 000010
【図９】
2008044628.tif 000011
【図１０】
2008044628.tif 000012